(57)【要約】【課題】オプチカルアライメントマシンにおいてプログラムによって自動的に測量待機物を測量するかを判断でき、且つ測量のコマンドをプログラムに出すことができる、オプチカルアライメントマシンの自動的測量方法を提供する。【解決手段】ユーザーが測量待機物をオプチカルアライメントマシンに配置してからソフトウェアを起動し、コマンドを電荷カップリング素子モジュールに送信し、電荷カップリング素子モジュールによって測量待機物を撮影すると共に、画面のイメージ処理検出を実行し、電荷カップリング素子モジュールの撮影しえた画面に明らかな発光点を有する場合、プログラムが発光点を有すると検出するため自動的に測量を実行する。【選択図】　　　図２
2004053316.tif 000002
【特許請求の範囲】
【請求項１】
オプチカルアライメントマシンによって測量待機物を測量するプロセス中にプログラムによって自分で測量するかどうかを判断する方法であって、
ソフトウェアを起動するステップ（ａ）と、
電荷カップリング素子モジュールによって測量待機物の画面を撮影するステップ（ｂ）と、
プログラムが自分で電荷カップリング素子モジュールの撮影しえた画面には反射発光点があるかどうかを判断するステップ（ｃ）と、
発光点がある場合、自動的に測量を実行すると共に、測量後にステップ（ｂ）に戻るステップ（ｄ）とを少なくとも有することを特徴とするオプチカルアライメントマシンの自動的測量方法。
【請求項２】
前記ステップ（ｂ）における前記電荷カップリング素子モジュールの撮影しえた画面の反射発光点に対しイメージ処理方法によって図には白色区域を有するかどうかを計算しうることを特徴とする請求項１に記載のオプチカルアライメントマシンの自動的測量方法。
【請求項３】
前記ステップ（ｃ）のプログラムが前記電荷カップリング素子モジュールの撮影しえた画面に発光点がない場合にステップ（ｂ）に戻させることを特徴とする請求項１に記載のオプチカルアライメントマシンの自動的測量方法。
【請求項４】
前記オプチカルアライメントマシンは光学的測量機能を有する機器であり、当該機器が光ディスク装置または類似する光学的装置の測量と組立に利用できることを特徴とする請求項１に記載のオプチカルアライメントマシンの自動的測量方法。
【請求項５】
前記測量待機物は鏡面を備える装置であることを特徴とする請求項１に記載のオプチカルアライメントマシンの自動的測量方法。
【発明の詳細な説明】
【０００１】
【発明の属する技術分野】
本発明はオプチカルアライメントマシンの自動的測量方法に係わり、特にオプチカルアライメントマシンにおいてプログラムによって自動的に測量待機物を測量するかのことを判断でき、且つ測量のコマンドをプログラムに出すことができる、オプチカルアライメントマシンの自動的測量方法に関する発明である。
【０００２】
【従来の技術】
現有のオプチカルアライメントマシン（例えば光学的測量機能を有する機器など）は測量待機物（例えば鏡面を持つ物品など）を測量する場合にユーザーが測量待機物を取り付けし終えてから実行キーやコマンドスイッチを押してソフトウェアに起動させて測量の作業を実行させなければならない。
【０００３】
図１に示すように、従来のオプチカルアライメントマシンが測量待機物を測量する場合、そのフローは次のステップを含む。つまり、
（ａ１）ソフトウェアを起動させ、コマンドを電荷カップリング素子モジュールに発行する。
（ｂ１）前記電荷カップリング素子モジュールが測量待機物の画面を撮影する。
（ｃ１）ユーザーが実行キーやコマンドスイッチを押しているかを判断する。
（ｄ１）押された場合測量を実行し、それからステップ（ｂ１）に戻るが、押されない場合と判断する場合では直接（ｂ１）へ戻る。
【０００４】
前記のプロセスから分かるように、前記オプチカルアライメントマシンが測量待機物を測量する場合にユーザーの実行キーやコマンドスイッチなどを押すことを要するので、ユーザーが当該操作を実行し忘れるとか不当な操作によって多く時間を浪費するように招く結果がしばしばある。
【０００５】
【発明が解決しようとする課題】
前記の目的を図るために、本発明はユーザーが測量待機物をオプチカルアライメントマシンに配置してからソフトウェアを起動し、コマンドを電荷カップリング素子モジュールに送信し、電荷カップリング素子モジュールによって測量待機物を撮影すると共に、画面のイメージ処理検出を実行し、電荷カップリング素子モジュールの撮影しえた画面に明らかな発光点を有する場合、プログラムが発光点を有すると検出するため自動的に測量を実行するようになり、そのため、従来のユーザーによる判断を除去でき、測量手数を減少できると共に、ユーザーの不当な操作による過失や測量し漏れることなどをも無くすことができる。
【０００６】
【課題を解決するための手段】
本発明の他の目的は現有のオプチカルアライメントマシンによって測量待機物を測量する処理中に直接プログラムによって発光点を有すると判断する際に自動的に測量を実行するようにする方法を提供することをその１つの目的とするので、ユーザーが実行キーやコマンドスイッチなどを押し忘れることを防止でき、ユーザーの要する操作は単に測量待機物を取り付け、または取り外すことであり、簡単で便利に自動化測量を実行できる。
【０００７】
本発明はまた光ディスク装置または類似する光学システムに応用できる自動測量方法を提供することをその他の目的とする。
【０００８】
以下に添付図面を参照しながら本発明の好適な実施の形態を詳細に説明するが、それらの説明による構成は単に本発明の優れた実施例に過ぎず、本発明をそれらのみに狭義的に制限するものではない。
【０００９】
【発明の実施の形態】
図２は本発明の自動測量方法を示すフローチャートであり、それはオプチカルアライメントマシンによって測量待機物を測量する場合にプログラムによって自動的に測量する必要があるかを判断する方法であり、少なくとも次のようなステップを有する。
（ａ）ソフトウェアを起動し、コマンドを電荷カップリング素子モジュールに発行する。
（ｂ）前記電荷カップリング素子モジュールが測量待機物の画面を撮影し、この際、前記電荷カップリング素子モジュールの撮影しえた画面には明らかな反射発光点を有する。
（ｃ）それから、プログラムが自分で反射発光点を有するかのことを判断し、当該プログラムの自分での判断する方法として電荷カップリング素子モジュールが画面を撮影しえた後に発光点を有するかを計算し、ユーザーが測量待機物を置き入れない場合に反射発光点を有しなく、前記電荷カップリング素子モジュールの撮影しえた画面が全面に黒になる画面である。
（ｄ）発光点を有すると判断する場合、自動的に測量を実行し、それからステップ（ｂ）に戻り、また、発光点を有しないと判断する場合に直接ステップ（ｂ）に戻る。
【００１０】
前記ステップ（ｂ）の電荷カップリング素子モジュールの撮影しえた反射発光点をイメージ処理の方法によって図に白色区域を有するかを計算し出すようにすることができる。当該イメージ処理の方法にはいろいろあり、そのうち、所定の縁部値を選択してから二元化処理を実行し、こうする場合では前記プログラムが容易に灰色色度が２５５である白色発光点ピクセルを有するかを計算し出すことができる。
【００１１】
【発明の効果】
前記のように、本発明の方法による場合、少なくとも次のような優れた点を有する。
（１）直接プログラムによって自分で測量待機物を有するかを判断でき、ユーザによる判断を要しない。
（２）測量手数を減少できる。
（３）ユーザーの不当操作または操作し忘れることを防止できる。
（４）ユーザーが実行キーやコマンドスイッチを押し忘れることを防止できる。
【００１２】
また、前記に説明した具体的な方法は単に本発明の好適な実施の形態に過ぎず、当該分野における者が容易に本発明の特許の請求の範囲の要旨に基づいて些細な改造や変形や一部転用などを実施できるが、それらの実施も本発明の主張範囲内に含まれる。
【図面の簡単な説明】
【図１】従来のオプチカルアライメントマシンの測量方法を示すフローチャートである。
【図２】本発明の自動化測量方法を示すフローチャートである。
【符号の説明】
【図１】
2004053316.tif 000003
【図２】
2004053316.tif 000004